(57)【要約】【課題】  バッテリ室の縦フレームの歪みに影響されなく、シムの調整を不要とするガイドローラによって、バッテリボックスの移動を案内する電動車両用バッテリボックスの移動案内装置を提供する。【解決手段】  バッテリボックス底面部１５ｂとバッテリ室下面部４ｃとの一方にバッテリの重心Ｇを通る垂直面Ｇ１上を前後方向に伸長するガイドプレート１８を備え、他方にガイドプレートの１８の左右側面１８ａ、１８ｂを転がる左右一対のガイドローラ１９を配設していることである。【選択図】    図２
2005041656.tif 000002
【特許請求の範囲】
【請求項１】
バッテリを内部に収容するバッテリボックスを車体のバッテリ室に搭載し、前記バッテリボックスは支持ローラの転がりにより外部に移動するとともに、ガイドローラの転がりにより前記バッテリボックスの移動を案内する電動車両用バッテリボックスの移動案内装置において、
前記バッテリボックス底面部と前記バッテリ室下面部との一方に前記バッテリの重心を通る垂直面上を前後方向に伸長するガイドプレートを備え、他方に前記ガイドプレートの左右側面を転がる左右一対の前記ガイドローラを配設していることを特徴とする電動車両用バッテリボックスの移動案内装置。
【請求項２】
前記ガイドローラは、前記バッテリ室下面部の前方部と後方部とに配設し、その間に前記バッテリの前後方向の重心を通る位置を含み、前記バッテリボックスを外部から前記バッテリ室へ移動する際には、前記後方部のガイドローラが前記バッテリ室入り口側に近接し、
もしくは、前記ガイドローラは前記バッテリボックス底面部の前方部と後方部とに配設し、その間に前記バッテリの前後方向の重心を通る位置を含み、前記バッテリボックスを外部から前記バッテリ室へ移動する際には、前記前方部のガイドローラが前記バッテリ室入り口側に近接するようにしたことを特徴とする請求項１記載の電動車両用バッテリボックスの移動案内装置。
【請求項３】
バッテリを内部に収容するバッテリボックスを車体外部に備えた乗せ台に搭載し、前記バッテリボックスは支持ローラの転がりにより前記車体のバッテリ室に移動するとともに、ガイドローラの転がりにより前記バッテリボックスの移動を案内する電動車両用バッテリボックスの移動案内装置であって、
前記バッテリボックス底面部と前記外部の乗せ台上面部との一方に前記バッテリの重心を通る垂直面上を前後方向に伸長するガイドプレートを備え、他方に前記ガイドプレートの左右側面を転がる左右一対の前記ガイドローラを配設していることを特徴とする電動車両用バッテリボックスの移動案内装置。
【発明の詳細な説明】
【技術分野】
【０００１】
本発明は電動車両用バッテリボックスの移動案内装置に関する。
【背景技術】
【０００２】
従来、図７（ａ）に示すように、電動式フォークリフト５０のバッテリ５１はバッテリボックス５２に収容され、そのバッテリボックス５２を車体５３の後部に設けられたバッテリ室５４に搭載されている。
【０００３】
バツテリ室５４は、図７（ｂ）、図７（ｃ）に示すように、下部フレーム５５に左右の縦フレーム５６ａと５６ｂが立設され、左右の縦フレームを連結する横渡し部材５７を後方上部に設けて構成されている。
【０００４】
バッテリボックス５２は、平面視で幅広前方部５２ａと幅狭後方部５２ｂとを有し、ほぼＴ型形状に構成され、前方左右下端部に前方支持ローラ５８ａ、中央左右下端部に中央支持ローラ５８ｂ、そして後方左右下端部に後方支持ローラ５８ｃが配設され、バッテリボックス５２の前後方向への移動が可能とされている。更に、前方上部左右端部と中央上部左右端部には、ガイドローラ５９ａ、５９ｂが配設され、それらのガイドローラがバッテリ室５４の左側縦フレーム５６ａの内側面５６ａ’と右側縦フレーム５６ｂの内側面５６ｂ’に接触して、転がりながら前後方向へのガイドが可能とされている。
【０００５】
これらのガイドローラ５９ａ、５９ｂは左右一対の対称形で、図７（ｄ）、図７（ｅ）に示すように、ローラ６０は、上下に貫通する縦軸６１の中間部で水平回転自在に支持され、縦軸６１の上下は、ブラケット６２ａ、６２ｂにボルト６３を介して螺着されている。また、ブラケット６２ａ、６２ｂは当て板６４に溶着され、その当て板はバッテリボックスの段部背面５２ｃ、５２ｄに固設されている。
【０００６】
なお、ブラケット６２ａ、６２ｂの背面とその背面に対向する上下の縦軸との間には、シム６５を挟み込み左右のガイドローラの幅方向の寸法Ｖを調整可能としている。
【０００７】
さて、これらのバッテリ５１の点検整備並びに、交換を行う場合には、バツテリボックス５２を車体５３の外部に移動する必要がある。この場合には、バッテリ室５４の下面部５５（下部フレーム）と同一面の高さのバッテリ乗せ台（不図示）を別途外部に備え、整備作業者はバッテリボックスの後面に設けられた手掛け６０を持って引き出し、バッテリボックス５２の各支持ローラ５８ａ、５８ｂ、並びに５８ｃを、バッテリ室５４の下面部５５から外部の乗せ台に転がしながら移動する。それとともに、各ガイドローラ５９ａ、５９ｂもバッテリ室５４の左右内側面５６ａ’、５６ｂ’を転がりながらバッテリボックス５２を外部の移動方向に案内している。
【０００８】
次に、乗せ台からバッテリ室５４に移動する場合は、バッテリボックス５２を押し、バッテリボックスの入り口側の左右各ガイドローラ５９ａが、バッテリ室の左右内側面５６ａ’、５６ｂ’を転がるようにバッテリボックスを移動方向に案内する。それとともに、各支持ローラ５８ａ、５８ｂ、並びに５８ｃの転がりによりバッテリ室に順次移動し、中央上部の左右各ガイドローラ５９ｂもバッテリ室に移動し、左右内側面５６ａ’、５６ｂ’を移動方向に転がるように案内し、左右の後方支持ローラ５８ｃが乗せ台からバッテリ室５４に移動することによりバッテリボックスの移動が終わる。
【０００９】
また、この他、このようなバッテリボックスの移動装置として、バッテリボックスの前後に引き出し用のスライド部材を溶着し、車体側にスライド部材を転がすレールローラを取付けることにより、手動によりバッテリボックスを移動できるようにしたものが知られている（例えば、特許文献１参照。）。
【特許文献１】特開平１０−２８７１３７号公報  （図１、図２）
【発明の開示】
【発明が解決しようとする課題】
【００１０】
しかしながら、バッテリ室５４を構成する左側縦フレーム５６ａと右側縦フレーム５６ｂとの幅方向の寸法（バッテリ室幅方向の寸法）Ｗが、製造組立段階で発生する歪み並びに、顧客の使用段階で発生する縦フレームの歪みなどにより、所定寸法に対する許容値を越える場合がある。例えば、プラス側の許容値を越えてＷが広くなる場合には、左右の各ガイドローラ５９ａ、５９ｂがバッテリ室の左右内則面５６ａ’、５６ｂ’に接触しなくなる。
【００１１】
したがって、左右の各ガイドローラ５９ａ、５９ｂにシム６５を所要数量追加して、左右内則面５６ａ’、５６ｂ’に接触するように、ガイドローラの幅方向の寸法Ｖを広くする必要がある。
【００１２】
一方、所定寸法に対してマイナス側の許容値を越えてＷが狭くなる場合には、バッテリボックス５２が前後方向に移動しなくなり、また、バッテリボックスを外部からバッテリ室５４に移動することもができなくなる。
【００１３】
したがって、ガイドローラ５９ａ、５９ｂに挟み込まれているシム６５を所要数量減少して、左右内則面５６ａ’、５６ｂ’に接触するように、ガイドローラの幅方向の寸法Ｖを狭くする必要がある。
【００１４】
このように、バッテリ室５４の幅方向の寸法Ｗが、所定寸法に対する許容値を越える場合には、ガイドローラ５９ａ、５９ｂのシム６５による調整が必要となる。この調整は、バッテリ室とバッテリボックスの幅方向の隙間が少ないことや、バッテリの重量が例えば、１０００ｋｇ近くあり重いバッテリボックスを一旦、外部に引き出して行わねばならないことなど、手間がかかり作業性の改善が望まれている。
【００１５】
また、特許文献１のものでは、バッテリボックスを外部に引き出す場合、移動案内装置としてのガイドローラが設けられていない。
【００１６】
本発明は、上記従来の問題点に鑑み、バッテリ室の縦フレームの歪みに影響されなく、シムの調整を不要とするガイドローラによって、バッテリボックスの移動を案内する電動車両用バッテリボックスの移動案内装置を提供することを目的とする。
【課題を解決するための手段】
【００１７】
請求項１の発明は、バッテリを内部に収容するバッテリボックスを車体のバッテリ室に搭載し、前記バッテリボックスは支持ローラの転がりにより外部に移動するとともに、ガイドローラの転がりにより前記バッテリボックスの移動を案内する電動車両用バッテリボックスの移動案内装置において、前記バッテリボックス底面部と前記バッテリ室下面部との一方に前記バッテリの重心を通る垂直面上を前後方向に伸長するガイドプレートを備え、他方に前記ガイドプレートの左右側面を転がる左右一対の前記ガイドローラを配設していることである。
【００１８】
このようにすれば、バッテリボックスを車体のバッテリ室から外部に移動する場合、バッテリボックスに手をかけ移動方向に引き出し、バッテリボックスに配設した支持ローラがバッテリ室下面部を転がることにより移動する。それとともに、バッテリボックス底面部に備えたガイドプレートの左右側面が、バッテリ室下面部に配設した左右一対のガイドローラの転がりにより移動しながらバッテリボックスを外部の移動方向に案内する。
【００１９】
もしくは、バッテリボックス底面部に配設した左右一対のガイドローラが、バッテリ室下面部に備えたガイドプレートの左右側面を転がりながら移動し、バッテリボックスを外部の移動方向に案内することができる。
【００２０】
このようにバッテリボックス底面部もしくは、バッテリ室下面部に備えたガイドプレートが、バッテリの重心を通る垂直面上を前後方向に伸長しているので、バッテリボックスの移動時における左右方向の振れが少なく、移動方向への直進性が向上する。
【００２１】
また、ガイドプレートがバッテリの重心を通る垂直面上を前後方向に伸長して１ヶ所のみ備えているので、ガイドプレートの左右側面を転がる左右一対のガイドローラには、幅方向の寸法を調整するためのシムは必要とせず、更に、ガイドローラをバッテリボックス底面部もしくは、バッテリ室下面部に配設することげできるので、従来のようにバッテリ室の側面の歪みに影響されることなく、シムによるガイドローラの調整作業が不要となる。
【００２２】
請求項２に記載のように、前記ガイドローラは、前記バッテリ室下面部の前方部と後方部とに配設し、その間に前記バッテリの前後方向の重心を通る位置を含み、前記バッテリボックスを外部から前記バッテリ室へ移動する際には、前記後方部のガイドローラが前記バッテリ室入り口側に近接し、
もしくは、前記ガイドローラは前記バッテリボックス底面部の前方部と後方部とに配設し、その間に前記バッテリの前後方向の重心を通る位置を含み、前記バッテリボックスを外部から前記バッテリ室へ移動する際には、前記前方部のガイドローラが前記バッテリ室入り口側に近接することが望ましい。
【００２３】
このようにすれば、ガイドローラをバッテリ室下面部もしくは、バッテリボックス底面部の前方部と後方部とに配設し、その間にバッテリの前後方向の重心を通る位置を含むようにしたので、電動車両の左右旋回時におけるバッテリボックスの水平方向の振れが少なくなり、走行安定性が向上する。
【００２４】
また、バッテリ室下面部の後方部に配設したガイドローラが、バッテリ室の入り口側に近接しているので、バッテリボックスを外部からバッテリ室へ移動する際、バッテリボックス底面部に備えたガイドプレート前端部とガイドローラとの間隔が短縮する。そのため、ガイドプレートが素早く左右一対のガイドローラと係合することができ、移動方向へ適確に案内するので直進性が向上する。
【００２５】
もしくは、バッテリボックス底面部の前方部に配設したガイドローラが、バッテリボックスを外部からバッテリ室へ移動する際、バッテリ室の入り口側に近接するようにしているので、左右一対のガイドローラと、バッテリ室下面部に備えたガイドプレートの後端部との間隔が短縮する。そのため、左右一対のガイドローラが素早くガイドプレートと係合することができ、移動方向へ適確に案内するので直進性が向上する。
【００２６】
請求項３の発明は、バッテリを内部に収容するバッテリボックスを車体外部に備えた乗せ台に搭載し、前記バッテリボックスは支持ローラの転がりにより前記車体のバッテリ室に移動するとともに、ガイドローラの転がりにより前記バッテリボックスの移動を案内する電動車両用バッテリボックスの移動案内装置であって、前記バッテリボックス底面部と前記外部の乗せ台上面部との一方に前記バッテリの重心を通る垂直面上を前後方向に伸長するガイドプレートを備え、他方に前記ガイドプレートの左右側面を転がる左右一対の前記ガイドローラを配設していることである。
【００２７】
このようにすれば、バッテリボックスを乗せ台から車体のバッテリ室に移動する場合、バッテリボックスに手をかけ移動方向に押し、バッテリボックスに配設した支持ローラが乗せ台を転がることにより移動する。それとともに、バッテリボックス底面部に備えたガイドプレートの左右側面が、乗せ台に配設した左右一対のガイドローラの転がりにより移動しながらバッテリボックスを車体のバッテリ室の方向に案内する。
【００２８】
もしくは、バッテリボックス底面部に配設した左右一対のガイドローラが、乗せ台に備えたガイドプレートの左右側面を転がりながら移動し、バッテリボックスを車体のバッテリ室の方向に案内することができる。
【００２９】
このようにバッテリボックス底面部もしくは、乗せ台に備えたガイドプレートが、バッテリの重心を通る垂直面上を前後方向に伸長しているので、バッテリボックスの移動時における左右方向の振れが少なく、移動方向への直進性が向上する。
【発明の効果】
【００３０】
本発明は、バッテリボックス底面部もしくは、バッテリ室下面部のガイドプレートを、バッテリの重心を通る垂直面上を前後方向に伸長して備えるようにしたので、バッテリボックスの移動時における左右方向の振れが減少し、移動方向への直進性が向上する。
【００３１】
また、ガイドローラをバッテリボックス底面部もしくは、バッテリ室下面部に配設することができるので、従来のようにバッテリ室の側面の歪みに影響されることなく、シムによるガイドローラの調整作業が不要となる。
【００３２】
したがって、バッテリボックスのバッテリ室から外部への移動が短時間のうちに行うことができるので、バッテリの点検整備と交換作業を効率よく行うことができる。
【発明を実施するための最良の形態】
【００３３】
以下、この発明を実施するための最良の形態を図面に沿って説明する。
【００３４】
図１（ａ）は本発明に係る電動式フォークリフトの概略側面図、図１（ｂ）は図１（ａ）のＡ−Ａ矢視図、図１（ｃ）は図１（ｂ）のＢ−Ｂ方向矢視の断面図、図１（ｄ）は図１（ｃ）の別の実施の形態を示す断面図である。
【００３５】
図１（ａ）、図１（ｂ）に示すように、電動式フォークリフト１は、バッテリ２を電源とし、電動機（不図示）を駆動源とする電動車両であって、車体３を形成するフレーム４の前方部にマスト５を設けフォーク６を昇降自在に装着している。
【００３６】
フレーム４には前方支柱７ａと後方支柱７ｂとを各２本立設し、上部のヘッドガード８によって囲まれた空間により運転室９を構成している。運転室９には、ほぼ中央部に運転席１０をもち、ボンネット１１の上蓋１１ａの上部に設けている。ボンネット１１の内部空間部にはバッテリ室１２を備えている。すなわち、バッテリ室１２は、ボンネット前壁１１ｂ、後方部左右側部の縦フレーム４ａ、４ｂ（図２（ａ））と下部フレーム４ｃ並びに、後端部の扉１３によって構成している。また、左右の後方支柱７ｂの下方部と扉１３に近接してカウンタウエイト１４を配設している。
【００３７】
上述のバッテリ室１２には、バッテリ２を収容したバッテリボックス１５を搭載している。バッテリボックス１５は、バッテリ２の前後部、左右側部並びに底部を所要の厚みを有する鋼板で囲むように形成し、左右後端角部に、上下方向に切除した窪み部１５Ｌ、１５Ｒを設けている。また、バッテリボックス１５には、前面１５ａの左右下端部に前方支持ローラ１６ａと、左右の窪み部１５Ｌ、１５Ｒの側面下端部に後方支持ローラ１６ｂをそれぞれ配設し、バッテリボックス１５を支持している。これらの左右前方支持ローラ１６ａと左右後方支持ローラ１６ｂは、バッテリ室１２の下面部である下部フレーム４ｃの左右両端部上を前後方向に転がるように配設している（図２（ａ））。
【００３８】
これらの支持ローラ１６ａ、１６ｂの転がりによりバッテリボックス１５を移動するとともに、バッテリボックスの移動を案内する電動車両用バッテリボックス１５の移動案内装置１７は、図１（ｃ）に示すように、バッテリボックス底面部１５ｂに備えるガイドプレート１８と、バッテリ室下面部４ｃに配設する左右一対のガイドローラ１９とから構成している。
【００３９】
もしくは、図１（ｄ）に示すように、バッテリ室下面部４ｃに備えるガイドプレート１８’と、バッテリボックス底面部１５ｂに配設する左右一対のガイドローラ１９’とから構成することができる。
【００４０】
次に、図２、図３により移動案内装置１７の構成と作動について説明する。
【００４１】
図２（ａ）は図１（ａ）のＣ−Ｃ方向矢視の背面図、図２（ｂ）はバッテリボックスがバッテリ室に搭載された状態のガイドプレートとガイドローラの配置を示す平面図で、バッテリボックスを一点鎖線で示す、図２（ｃ）は図２（ｂ）の別の実施の形態を示す平面図、図２（ｄ）は図２（ｂ）のＤ−Ｄ方向矢視の断面図でバッテリ室下面部を一点鎖線で示す、図２（ｅ）は図２（ｃ）のＥ−Ｅ方向矢視の断面図でバッテリ室下面部を一点鎖線で示す。
【００４２】
図３（ａ）はバッテリボックスを外部からバッテリ室に移動する際のガイドプレートとガイドローラとの関係位置を示す平面図でバッテリ室とバッテリボックスを一点鎖線で示す、図３（ｂ）は図３（ａ）の別の実施の形態を示す平面図である。
【００４３】
さて、図２（ａ）、図２（ｂ）に示すように、バッテリボックス底面部１５ｂに、バッテリ２の重心Ｇを通る垂直面Ｇ１上を前後方向にガイドプレート１８を固設する。すなわち、そのガイドプレートは、一端がバッテリボックス底面部の前端部１５ｃに、他端が後端部１５ｄまで伸長しており図２（ｄ）に示すように、帯状の鋼板で所要の厚みＳ１を有し左右側面１８ａ、１８ｂの下端縁１８ｃは、バッテリボックスが移動可能とするようバッテリ室下面部４ｃと適宜間隙を設けている。
【００４４】
このガイドプレート１８の左右側面１８ａ、１８ｂを転がるガイドローラ１９は、バッテリ室の下面部である下部フレーム４ｃの中央部に形成した凹部に配設している。
【００４５】
ガイドローラ１９は、図２（ｄ）に示すように左右一対で、各縦軸１９ａと各ローラ１９ｂ並びに、各スナップリング１９ｃから構成している。各縦軸１９ａは大径部１９ｄと小径部１９ｅを形成し、各ローラ１９ｂが水平回転可能に小径部１９ｅに軸支され、各スナップリング１９ｃを取着している。各ローラ１９ｂは市販のベアリング部材を使用している。
【００４６】
また、左右の各縦軸１９ａの軸芯間隔Ｓ３は、左右の各ローラ１９ｂの周面間隔Ｓ２とガイドプレート１８の厚みＳ１との間に、ガイドプレートの変形量が吸収できる所定の隔間（例えば、０．５〜１．０ｍｍ）が確保できるように設定し、各縦軸の大径部１９ｄの下端部１９ｆをバッテリ室下面部４ｃに固設している。
【００４７】
これらのガイドローラ１９は、図３（ａ）、図２（ｂ）に示すように、バッテリ室下面部４ｃの前方部４ｄと後方部４ｅとに配設し、その間隔Ｌ１にはバッテリの前後方向の重心Ｇを通る位置を含め、後方部４ｅのガイドローラ１９はバッテリ室後端部（バッテリ室入り口）４ｇに近接するのが望ましい。
【００４８】
上述の間隔Ｌ１は例えば、バッテリボックスの全長Ｌ２の２／３を所定の間隔としている。
【００４９】
なお、図２（ａ）に示すように、バッテリボックス１５の後面１５ｇには手掛け部材２０を設け、左側窪み部１５Ｌにはバッテリボックスの移動装置２１を装着している。また、バッテリ室１２の後方部における左右縦フレーム４ａ、４ｂの上部には、横渡し材４ｈを取着して連結している。
【００５０】
もしくは、図２（ｃ）、図２（ｅ）に示すように、バッテリ室下面部４ｃにガイドプレート１８’を固設し、そのガイドプレートの左右側面を転がるガイドローラ１９’をバッテリボックス底面部１５ｂに配設することができる。
【００５１】
この場合のガイドプレート１８’は上述のバッテリボックス底面部１５ｂに設けたガイドプレート１８と同一部材で、固設する場所がバッテリ室下面部４ｃに替わる。
【００５２】
また、ガイドローラ１９’も上述のバッテリ室下面部４ｃに配設したガイドローラ１９と同一部材で、配設する場所がバッテリボックス底面部１５ｂに替わる以外は図２（ｄ）の説明と同一のため、図２（ｃ）、図２（ｅ）の詳細な説明は省略する。
【００５３】
なお、図３（ｂ）に示すように、ガイドプレート１８’は一端がバッテリボックス底面部の前端部１５ｃに対向するバッテリ室下面部の前端部４ｆに、他端がバッテリ室後端部４ｇまで伸長している。
【００５４】
ガイドローラ１９’はバッテリボックス底面部１５ｂの前方部１５ｅと後方部１５ｆとに配設し、その間隔Ｌ１にはバッテリの前後方向の重心Ｇを通る位置を含め、前方部１５ｅのガイドローラ１９’はバッテリボックス底面部の前端部１５ｃに近接するのが望ましい。
【００５５】
次に、図２（ｂ）、図２（ｃ）により、バッテリボックス１５をバッテリ室１２から外部の乗せ台（不図示）に移動する場合の移動案内装置１７の作動について説明する。
【００５６】
なお、外部の乗せ台には移動案内装置が配設されてなく、バッテリボックスの前方支持ローラ１６ａと後方支持ローラ１６ｂ（図２（ａ））が前後方向に転がることが可能な高さの乗せ台とする。
（１）バッテリボックス底面部に固設したガイドプレート１８が、バッテリ室下面部に配設したガイドローラ１９により移動を案内する場合。                                      
【００５７】
図２（ｂ）に示すように、バッテリボックス１５がバッテリ室１２に搭載された状態からら、バッテリボックスの移動装置２１（図４）により前方支持ローラ１６ａと後方支持ローラ１６ｂが転がり、外部の乗せ台（不図示）に矢印Ｊ方向へ移動し始めると、それとともにガイドプレート１８が移動する。すなわち、ガイドプレートの左右側面１８ａ、１８ｂ（図２（ｄ））を転がり前方部４ｄと後方部４ｅに配設された各ガイドローラ１９により、ガイドプレート１８が矢印Ｊ方向に進みながらバッテリボックス１５の移動を案内する。更に、ガイドプレート１８が移動し、後端部１５ｃが後方部４ｅのガイドローラ１９を通過することにより移動の案内が終了する。（バッテリボックスは外部の乗せ台に移動終了する）
（２）もしくは、バッテリ室に固設したガイドプレート１８’がバッテリボックス底面部に配設したガイドローラ１９’により移動を案内する場合。                                
【００５８】
図２（ｃ）に示すように、バッテリボックス１５がバッテリ室１２に搭載された状態からら、バッテリボックスの移動装置２１（図４）により前方支持ローラ１６ａと後方支持ローラ１６ｂが転がり、外部の乗せ台（不図示）に矢印Ｊ方向へ移動し始めると、それとともに前方部１５ｅと後方部１５ｆに配設された各ガイドローラ１９’が、ガイドプレートの左右側面１８ａ’、１８ｂ’（図２（ｅ））を転がりながら矢印Ｊ方向に進み、バッテリボックス１５の移動を案内する。更に、ガイドローラ１９’が移動し、前方部１５ｅのガイドローラ１９’が、ガイドプレートの後端（バッテリ室入り口４ｇ）を通過することにより移動の案内が終了する。（バッテリボックスは外部の乗せ台に移動終了する）    続いて、図３（ａ）、図３（ｂ）により、バッテリボックス１５を外部の乗せ台（不図示）からバッテリ室１２に移動する場合の移動案内装置１７の作動について説明する。        
【００５９】
なお、乗せ台は上述と同じ状態とする。
（３）バッテリボックス底面部に固設したガイドプレート１８が、バッテリ室下面部に配設したガイドローラ１９により移動を案内する場合。
【００６０】
図３（ａ）に示すように、ガイドプレート１８の前端部が、バッテリボックス底面部１５ｂの前端部１５ｃまで伸長しており、それに係合する後方部４ｅのガイドローラ１９が、バッテリ室の入り口４ｇに近接している。したがって、バッテリボックス１５を矢印Ｋ方向に押動することにより、素早くガイドプレート１８の前端部がガイドローラ１９に係合し、バッテリボックスの前方支持ローラ１６ａの転がりとともに、ガイドプレートの左右側面１８ａ、１８ｂ（図２（ｄ））を転がるガイドローラ１９によりガイドプレート１８が移動方向に進む。更にガイドプレートが移動して前方部４ｄのガイドローラ１９に係合し、ガイドローラの転がりによりバッテリボックス１５を移動方向に案内する。そして、バッテリボックスの全面１５ａが、バッテリ室１２の前壁１１ｂの左右下端部に固設したストッパ２２（図４（ａ））に当接することにより、移動が停止する。
（４）もしくは、バッテリ室に固設したガイドプレート１８’がバッテリボックス底面部に配設したガイドローラ１９’により移動を案内する場合。
【００６１】
図３（ｂ）に示すように、ガイドプレート１８’の後端部が、バッテリ室入り口４ｇまで伸長しており、その後端部に係合する前方部１５ｅのガイドローラ１９’が、バッテリ室の入り口４ｇに近接している。したがって、バッテリボックス１５を矢印Ｋ方向に押動することにより、前方部のガイドローラ１９’が素早くガイドプレート１８’の後端部に係合する。そして、バッテリボックスの前方支持ローラ１６ａの転がりとともに、ガイドプレートの左右側面１８ａ’、１８ｂ’（図２（ｅ））をガイドローラ１９’が転がりながら移動方向に進む。更に、ガイドプレートが後方部１５ｆのガイドローラ１９’に係合し、前方部並びに、後方部のガイドローラ１９’の転がりによりバッテリボックス１５を移動方向に案内することができる。そして、バッテリボックスの全面１５ａが、バッテリ室１２の前壁１１ｂの左右下端部に固設したストッパ２２（図４（ａ））に当接することにより、移動が停止する。
【００６２】
次に、図４、図５により、バッテリボックス１５をバッテリ室１２から、移動案内装置２３を配設した乗せ台２４に移動する場合の、乗せ台と移動案内装置２３の構成と作動について説明する。
【００６３】
図４（ａ）は図１（ｂ）のＨ−Ｈ方向矢視の側面図でフレーム部材を一点鎖線で示す、図４（ｂ）は図４（ａ）のバッテリボックスを外部の乗せ台に移動した場合の側面図を示し、バッテリボックスを一点鎖線で示す。
【００６４】
図５（ａ）は図４（ｂ）のＭ−Ｍ方向矢視の背面図、図５（ｂ）は図５（ａ）のＮ−Ｎ方向矢視の断面図、図５（ｃ）は図５（ｂ）のＴ−Ｔ方向矢視の断面図でバッテリボックス底面部を一点鎖線で示す、図５（ｄ）は図５（ｃ）の別の実施の形態を示す断面図でバッテリボックス底面部を一点鎖線で示す。
【００６５】
さて、乗せ台２４は、図４（ｂ）、図５（ａ）に示すように、左右両端部に縦通部材２４ａを前後方向に配置し、左右の縦通部材２４ａを左右に連結する前方横渡し部材２４ｂと後方横渡し部材２４ｃを、更に、中央部で連結する中央横渡し部材２４ｄを適宜数量設け、乗せ台２４の骨格部を形成している。これらの部材はバッテリボックス１５を搭載可能とする強度を有し、Ｌ形部材（アングル材）としている。前方横渡し部材２４ｂと後方横渡し部材２４ｃ並びに中央横渡し部材２４ｄは、中央部に凹部２４ｅを有し、バッテリボックス１５を搭載可能に形成している。また、前方支持ローラ１６ａと後方支持ローラ１６ｂが転がる位置に、前後方向にわたって支持板２４ｆを左右に設置し、図４（ｂ）に示すように、支持板２４ｆの上面がバッテリ室１２の下部フレーム４ｃと同一高さを保持するように、調節可能に脚部２４ｇを左右両端部の縦通部材２４ａに前後左右に設けている。更に、乗せ台の左側の縦通部材２４ａの後端部に被押動部材２１ｄを固設し、手動レバー２１ａが後傾位置で手動レバー２１ａの下端部２１ｅが当接するようにしている。
【００６６】
また、バッテリボックスの後端面１５ｇが乗せ台２４に搭載後に後方への移動を防止するストッパ２４ｈを後方横渡し部材２４ｃに突設している。
【００６７】
このように構成した乗せ台２４に対し、移動案内装置２３を次のように配設する。
【００６８】
図５（ａ）、図５（ｂ）に示すように、バッテリボックス底面部１５ｂのガイドプレート１８に対向するように、乗せ台２４の後方横渡し部材２４ｃ、中央横渡し部材２４ｄ，そして前方横渡し部材２４ｂの凹部２４ｅに支持部材２５を固設する。その支持部材は、前方横渡し部材２４ｂから後方横渡し部材２４ｃまで伸長する帯状の鋼板で所要の厚みを有する。また、この支持部材２５の上面が、図２（ａ）に示すバッテリ室１２の下部フレーム４ｃと同一高さを保持するように、脚部２４ｇで調整する。
【００６９】
この乗せ台２４に配設する移動案内装置２３は、図５（ｃ）に示すように、バッテリボックス底面部１５ｂに固設したガイドプレート１８に係合するガイドローラ１９を、支持部材２５に配設することにより構成する。
【００７０】
もしくは、図５（ｄ）に示すように、バッテリボックス底面部１５ｂに配設したガイドローラ１９’に係合するガイドプレート１８’を、支持部材２５に固設することから構成できる。
【００７１】
図５（ｂ）、図５（ｃ）に示すように、バッテリボックス底面部１５ｂに固設したガイドプレート１８に係合するガイドローラ１９は、前方部２５ａと後方部２５ｂにそれぞれ左右一対配設し、ガイドローラ１９はバッテリ室下面部４ｃに配設したガイドローラ１９（図２（ｄ））と同一である。したがって、配設する場所が乗せ台の支持部材２５に替わるだけで、それ以外は図２（ｄ）で説明した内容と同一のため、図５（ｃ）の説明は省略する。
【００７２】
もしくは、図５（ｄ）に示すように、バッテリボックス底面部１５ｂに配設したガイドローラ１９’に係合するガイドプレート１８’は、バッテリ室下面部４ｃに固設したガイドプレート１８’（図２（ｅ））と同一である。したがって、配設する場所が乗せ台の支持部材２５に替わるだけで、それ以外は図２（ｅ）で説明した内容と同一のため、図５（ｄ）の説明は省略する。
【００７３】
次に、乗せ台２４に配設した移動案内装置２３の作動について説明する。
【００７４】
図４（ａ）に示すように、バッテリボックス１５は、バッテリボックスの左側窪み部１５Ｌに設けたバッテリ移動装置２１により外部の乗せ台２４に移動し始める。すなわち、バッテリ移動装置２１の手動レバー２１ａを、矢印Ｒ１方向に回動することにより手動レバーの下端部に備えた押動部２１ｂが、下部フレーム４ｃの左側端部に固設した被押動部２１ｃを押すことにより、前方支持ローラ１６ａと後方支持ローラ１６ｂが転がり、バッテリボックス１５が矢印Ｐ方向に移動する。更に、バッテリボックスの後面１５ｇに設けた手掛け部材２０（図２（ａ））を持ち、後方に引き出し、支持ローラ１６ａ、１６ｂが乗せ台の上面（支持板２４ｆの上面）を転がりながら、バッテリボックス１５は図４（ｂ）に示すように乗せ台２４に移動を続け、バッテリボックスの後面１５ｇが乗せ台のストッパ２４ｈに当接することにより、移動が停止する。
【００７５】
これらのバッテリボックス１５の移動始めから停止までの一連の動きの中で、支持ローラ１６ａ、１６ｂの転がりとともに、図４、図５（ｃ）に示すように、バッテリボックス底面部１５ｂに固設したガイドプレート１８の左右側面１８ａ、１８ｂが、乗せ台の支持部材２５に配設したガイドローラ１９の転がりによって、バッテリボックス１５を移動方向に案内する。
【００７６】
もしくは、図４、図５（ｄ）に示すように、乗せ台の支持部材２５に固設したガイドプレート１８’の左右側面１８ａ’、１８ｂ’が、バッテリボックス底面部１５ｂに配設したガイドローラ１９’の転がりによって、バッテリボックス１５を移動方向に案内することができる。
【００７７】
整備作業者がバッテリ２の点検整備または、交換作業を終了したあと、乗せ台２４から再度、バッテリボックス１５をバッテリ室１２へ移動することになる。
【００７８】
この場合も上述の移動の場合と逆になり、図４（ｂ）に示すように、手動レバー２１ａを矢印Ｒ２方向に回動することにより、手動レバーの下端部２１ｅが乗せ台に固設した被押動部材２１ｄを押す。そのことにより支持ローラ１６ａ、１６ｂが転がり始め、バッテリボックス１５を矢印Ｑ方向に移動する。更に、バッテリボックスを押し、図４（ａ）に示すように、乗せ台２４からバッテリ室１２に移動し、バッテリボックスの前面１５ａが、バッテリ室１２のボンネット前壁１１ｂの左右下端部に固設したストッパ２２に当接することにより、移動が停止する。
【００７９】
これらのバッテリボックス１５の乗せ台からバッテリ室への移動までの一連の動きの中で、支持ローラ１６ａ、１６ｂの転がりとともに、図４、図５（ｃ）に示すように、バッテリボックス底面部１５ｂに固設したガイドプレート１８の左右側面１８ａ、１８ｂが、乗せ台の支持部材２５に配設したガイドローラ１９の転がりによって、バッテリボックス１５をバッテリ室１２の方向に案内する。
【００８０】
もしくは、図４、図５（ｄ）に示すように、乗せ台の支持部材２５に固設したガイドプレート１８’の左右側面１８ａ’、１８ｂ’が、バッテリボックス底面部１５ｂに配設したガイドローラ１９’の転がりによって、バッテリボックス１５をバッテリ室の方向に案内することができる。
【００８１】
なお、上述したほか図２（ｄ）のバッテリボックス底面部１５ｂに固設したガイドプレート１８もしくは、図２（ｅ）のバッテリ室下面部４ｃに固設したガイドプレート１８’に換わり、次のように実施してもよい。
（１）  図６（ａ）に示すように、バッテリボックス１５’を左右に分割し、その分割面はバッテリ２の重心Ｇを通る垂直面Ｇ１上とし、その分割面に左右の各底面部１５ｂ’から連設する左右の各フランジ１８ｃを当接し、固着することにより一体的にガイドプレートを形成する。
（２）  図６（ｂ）に示すように、バッテリ室の下面部である下部フレーム４ｃ’を左右に分割し、その分割面はバッテリ２の重心Ｇを通る垂直面Ｇ１上とし、その分割面に左右の各下部フレーム４ｃ”から連設する左右の各フランジ１８ｃ’を当接し、固着することにより一体的にガイドプレートを形成する。
【図面の簡単な説明】
【００８２】
【図１】図１（ａ）は本発明に係る電動式フォークリフトの概略側面図、図１（ｂ）は図１（ａ）のＡ−Ａ方向矢視図、図１（ｃ）は図１（ｂ）のＢ−Ｂ方向矢視の断面図、図１（ｄ）は図１（ｃ）の別の実施の形態を示す断面図である。
【図２】図２（ａ）は図１（ａ）のＣ−Ｃ方向矢視の背面図、図２（ｂ）はバッテリボックスがバッテリ室に搭載された状態のガイドプレートとガイドローラの配置を示す平面図、図２（ｃ）は図２（ｂ）の別の実施の形態を示す平面図、図２（ｄ）は図２（ｂ）のＤ−Ｄ方向矢視の断面図、図２（ｅ）は図２（ｃ）のＥ−Ｅ方向矢視の断面図を示す。
【図３】図３（ａ）はバッテリボックスを外部からバッテリ室に移動する際のガイドプレートとガイドローラとの関係位置を示す平面図、図３（ｂ）は図３（ａ）の別の実施の形態を示す平面図である。
【図４】図４（ａ）は図１（ｂ）のＨ−Ｈ方向矢視の側面図、図４（ｂ）は図４（ａ）のバッテリボックスを外部の乗せ台に移動した場合の側面図を示す。
【図５】図５（ａ）は図４（ｂ）のＭ−Ｍ方向矢視の背面図、図５（ｂ）は図５（ａ）のＮ−Ｎ方向矢視の断面図、図５（ｃ）は図５（ｂ）のＴ−Ｔ方向矢視の断面図、図５（ｄ）は図５（ｃ）の別の実施の形態を示す断面図である。
【図６】図６（ａ）はバッテリボックス底面部のガイドプレートの別の実施の形態を示す断面図、図６（ｂ）はバッテリ室下面部のガイドプレートの別の実施の形態を示す断面図である。
【図７】図７（ａ）は従来の電動式フォークリフトの概略側面図、図７（ｂ）は図７（ａ）のＹ−Ｙ方向矢視の断面図でフレーム部材を一点鎖線で示す、図７（ｃ）は図７（ａ）のＸ−Ｘ方向矢視のは背面図でバッテリ室の扉を開放した状態のバッテリボックスとバッテリ室を示す、図７（ｄ）は図７（ｃ）のＺ部詳細図、図７（ｅ）は図７（ｄ）のＵ−Ｕ方向平面図を示す。
【符号の説明】
【００８３】
２    バッテリ
４ｃ  バッテリ室下面部（下部フレーム）
４ｅ  バッテリ室下面部の後方部
４ｇ  バッテリ室入り口
１２  バッテリ室
１５  バッテリボックス
１５ｂ  バッテリボックス底面部
１５ｅ  バッテリボックス底面部の前方部
１６ａ  前方支持ローラ
１６ｂ  後方支持ローラ
１７    バッテリボックスの移動案内装置
１８    ガイドプレート
１８’  ガイドプレート
１９    ガイドローラ
１９’  ガイドローラ
２３    バッテリボックスの移動案内装置
２４    乗せ台
Ｇ      バッテリの重心
Ｇ１    バッテリの重心を通る垂直面
【図１】
2005041656.tif 000003
【図２】
2005041656.tif 000004
【図３】
2005041656.tif 000005
【図４】
2005041656.tif 000006
【図５】
2005041656.tif 000007
【図６】
2005041656.tif 000008
【図７】
2005041656.tif 000009